(57)【要約】      （修正有）【課題】ブリスターパックを構成する商品包装体の盗難防止装置を提供する。【解決手段】盗難防止装置は、商品包装体60に掛け渡される索条66と、防犯タグ24を設けた緊締装置1を有する。索条66に設けた上部固定具64と下部固定具65は、上縁部60aと下縁部60cを抱持する。索条66は、上側タスキ部79を上部固定具64と両側縁部60b,60bを掛け渡し、下側タスキ部80を下部固定具65と両側縁部60b,60bを掛け渡し、商品包装体60の裏面上で連結部81により連結し、側タスキ部79と下側タスキ部80の一方から商品包装体60の裏面上を延びる自由端部82を緊締装置1により緊締する。緊締装置1は、緊締手段5をロックする施錠手段を設けており、解錠キーで解錠したとき緊締手段5がアンロックする。【選択図】図３
2012038140.tif 000002
【特許請求の範囲】
【請求項１】
プレート(63)の表面に包装シート(62)を重ね合わせて固着したブリスターパックを構成する商品包装体(60)に取付けられる盗難防止装置であり、
前記商品包装体(60)の上縁部(60a)を抱持する上部固定具(64)と、前記商品包装体(60)の下縁部(60c)を抱持する下部固定具(65)と、前記上部固定具(64)と下部固定具(65)の間に張設される索条(66)と、前記商品包装体(60)の裏面に位置して索条(66)を弛緩自在に緊締する緊締装置(1)と、該緊締装置(1)に設けられた防犯タグ(24)とから構成され、
前記索条(66)は、上部固定具(64)に摺動自在に挿通されると共に該上部固定具(64)から商品包装体(60)の表面上で両側縁部(60b,60b)に向けて延びると共に、該両側縁部(60b,60b)で折返され、商品包装体(60)の裏面上で緊締装置(1)に向けて延びる上側タスキ部(79)と；
下部固定具(65)に摺動自在に挿通されると共に該下部固定具(65)から商品包装体(60)の表面上で両側縁部(60b,60b)に向けて延びると共に、該両側縁部(60b,60b)で折返され、商品包装体(60)の裏面上で緊締装置(1)に向けて延びる下側タスキ部(80)と；
商品包装体(60)の裏面上で前記上側タスキ部(79)と下側タスキ部(80)を連結する連結部(81)と；
前記上側タスキ部(79)と下側タスキ部(80)の一方から商品包装体(60)の裏面上を延びる自由端部(82)とを備えており、
前記緊締装置(1)は、前記自由端部(82,82)を引き寄せることにより索条(66)を緊締する緊締手段(5)と、索条を緊締した状態で緊締手段(5)をロックする施錠手段(42)を設け、該施錠手段(42)を解錠キー(2)により解錠したとき前記緊締手段(5)をアンロックするように構成されて成ることを特徴とする商品包装体における盗難防止装置。
【請求項２】
前記緊締装置(1)は、商品包装体の裏面に沿う翼片(22)を設けると共に、該翼片を貫通する中継孔(23a)を開設しており、前記索条(66)の連結部(81)を前記中継孔(23a)に挿通して成ることを特徴とする請求項１に記載の商品包装体における盗難防止装置。
【請求項３】
前記緊締装置(1)は、商品包装体の裏面に沿う翼片(22)を設けると共に、該翼片(22)を貫通するガイド孔(23b)を開設しており、前記索条(66)の自由端部(82)を前記ガイド孔(23b)に挿通して成ることを特徴とする請求項１又は２に記載の商品包装体における盗難防止装置。
【請求項４】
前記緊締装置(1)は、緊締手段(5)により索条を緊締したとき商品包装体の裏面に当接される収納部(25)を設けており、該収納部に防犯タグ(24)を収納して成ることを特徴とする請求項１、２又は３に記載の商品包装体における盗難防止装置。
【請求項５】
前記緊締装置(1)は、防犯タグ(24)を備えるケーシング(3)と、該ケーシングの駆動室(4)に設けられた回転自在なローター(5a)と、前記駆動室内でローターと同行回転するラチェットホイール(30)と、前記ケーシングの外部からローターを回転可能とする操作手段(21)とを備え、索条の自由端部をローター(5a)により巻取り緊締するように構成され、
前記駆動室(4)に連通する案内路(31)を形成するシリンダー(32)を前記ケーシング(3)に連設すると共に、前記ラチェットホイール(30)に近接する作動位置(P1)と離隔する遊休位置(P2)との間で進退移動自在なスライダー(33)を前記案内路(31)に内装し、
前記スライダー(33)は、作動位置(P1)に保持された状態で、ラチェットホイールのラチェット歯(35)に進退自在に噛合し、該ラチェットホイールの正転は許すが逆転を許さないラチェット爪(36)を設けており、
前記シリンダー(32)とスライダー(33)の間に施錠手段(42)を設け、該施錠手段(42)は、前記スライダー(33)を作動位置(P1)に前進した状態で該スライダーを後退不能に施錠すると共に、前記スライダー(33)の解錠路(43)に解錠キー(2)を挿入したとき該スライダーを遊休位置(P2)に後退可能に解錠するように構成されて成ることを特徴とする請求項１、２、３又は４に記載の商品包装体における盗難防止装置。
【請求項６】
前記スライダー(33)は、プラスチックにより一体成形され、先端に可撓性ヒンジ(38)を介してラチェット爪(36)を延設しており、スライダー(33)を作動位置(P1)に保持した状態でラチェットホイール(30)を正転したとき、ラチェット爪(36)が前記可撓性ヒンジ(38)の撓み弾性によりラチェット歯(35)に対して進退自在となるように構成して成ることを特徴とする請求項５に記載の商品包装体における盗難防止装置。
【発明の詳細な説明】
【技術分野】
【０００１】
本発明は、ブリスターパックを構成する商品包装体に関して、万引き等の窃盗者により商品包装体が店外に持ち出されることを防止すると共に、店内において商品包装体から商品が抜き取られることを防止するための盗難防止装置に関する。
【背景技術】
【０００２】
従来、種々の小売店等において、展示商品の盗難を防止するため、各商品に防犯タグが貼着されている。そこで、窃盗者が防犯タグを貼着したまま商品を店外に持ち出そうとすると、出入口ゲートに設置された検知装置が警報を発し、盗難を防止する。
【０００３】
しかしながら、通常、このような防犯タグは、粘着剤により商品に貼着されており剥離可能であるから、店外に持ち出す前に商品から剥離して廃棄されてしまうと、盗難防止の効果がない。
【０００４】
そこで、防犯タグをケーシングの内部に設け、該ケーシングに設けたワイヤーを商品包装体に巻掛け固定することが望ましく、本出願人は、先に、このような盗難防止装置を特願２０１０−１２９９８３号（以下、「先願装置」という。）により提案したところである。
【０００５】
先願装置は、商品又は商品のパッケージにワイヤーを十文字等に掛け渡し、ワイヤーを緊締することによりケーシングを強固に固着することができる。
【先行技術文献】
【特許文献】
【０００６】
【特許文献１】特許開２００２−７４５２９号公報
【特許文献２】特許開２００２−３０４６７６号公報
【発明の概要】
【発明が解決しようとする課題】
【０００７】
ところで、ブリスターパックを構成する商品包装体は、商品収納室を形成する凸状成形部を設けた包装シートを台紙等のプレートに配置し、上縁部と両側縁部と下縁部の部分で包装シートとプレートを相互に重ね合わせると共に、適所をステープラー（ホッチキス）等の固着具で固着している。このため、このような商品包装体に先願装置を使用すると、ワイヤーを十文字状に掛け渡して強く緊締したとき、プレートを含む商品包装体の全体が反り返るように大きく変形してしまい美観を損なうという問題がある。
【０００８】
しかも、ワイヤーを十文字状に掛け渡す場合、ワイヤーを緊締しても、商品包装体は、細いワイヤーが掛けられていない大部分の個所を露出しているから、治具等を差し込むことによりプレートと包装シートを相互に離反させることが可能である。このため、窃盗者が商品包装体から内部の商品を抜き取り、商品だけを店外に持ち出す場合には、盗難防止の効果がない。
【課題を解決するための手段】
【０００９】
本発明は、上記課題を解決したものであり、その手段として構成したところは、プレートの表面に包装シートを重ね合わせて固着したブリスターパックを構成する商品包装体に取付けられる盗難防止装置であり、前記商品包装体の上縁部を抱持する上部固定具と、前記商品包装体の下縁部を抱持する下部固定具と、前記上部固定具と下部固定具の間に張設される索条と、前記商品包装体の裏面に位置して索条を弛緩自在に緊締する緊締装置と、該緊締装置に設けられた防犯タグとから構成され、前記索条は、上部固定具に摺動自在に挿通されると共に該上部固定具から商品包装体の表面上で両側縁部に向けて延びると共に、該両側縁部で折返され、商品包装体の裏面上で緊締装置に向けて延びる上側タスキ部と；下部固定具に摺動自在に挿通されると共に該下部固定具から商品包装体の表面上で両側縁部に向けて延びると共に、該両側縁部で折返され、商品包装体の裏面上で緊締装置に向けて延びる下側タスキ部と；商品包装体の裏面上で前記上側タスキ部と下側タスキ部を連結する連結部と；前記上側タスキ部と下側タスキ部の一方から商品包装体の裏面上を延びる自由端部とを備えており、前記緊締装置は、前記自由端部を引き寄せることにより索条を緊締する緊締手段と、索条を緊締した状態で緊締手段をロックする施錠手段を設け、該施錠手段を解錠キーにより解錠したとき前記緊締手段をアンロックするように構成されて成る点にある。
【００１０】
このように、緊締手段により索条を緊締すると、防犯タグを設けた緊締装置が商品包装体に強固に取付けられ、窃盗者が不正に緊締装置を商品包装体から取外すことを困難とする。そして、索条を緊締した状態で、上部固定具と下部固定具が商品包装体の上縁部と下縁部を強固に抱持し、しかも、索条の上側タスキ部と下側タスキ部が商品包装体の両側縁部を強固に抱持する。従って、商品包装体は、上部固定具と下部固定具により、上縁部と下縁部に位置するプレートと包装シートを相互離反不能に抱持され、窃盗者による商品の抜き取りを確実に防止する。しかも、商品包装体は、索条の上側タスキ部と下側タスキ部により、両側縁部の２個所においてプレートと包装シートを相互離反不能に抱持され、窃盗者による商品の抜き取りを確実に防止する。
【００１１】
本発明の好ましい実施形態において、前記緊締装置は、商品包装体の裏面に沿う翼片を設けると共に、該翼片を貫通する中継孔を開設しており、前記索条の連結部を前記中継孔に挿通している。これにより、索条を緊締すると、緊締装置が商品包装体の裏面に好適に密接される。
【００１２】
また、前記翼片を貫通するガイド孔を開設し、前記索条の自由端部を前記ガイド孔に挿通することが好ましい。これにより、ガイド孔に案内された索条の自由端部を緊締手段により好適に引き寄せ緊締することが可能となる。
【００１３】
前記緊締装置は、緊締手段により索条を緊締したとき商品包装体の裏面に当接される収納部を設け、該収納部に防犯タグを収納することが好ましい。これにより、窃盗者が防犯タグを取外すことが困難となる。
【００１４】
好ましくは、前記緊締装置は、防犯タグを備えるケーシングと、該ケーシングの駆動室に設けられた回転自在なローターと、前記駆動室内でローターと同行回転するラチェットホイールと、前記ケーシングの外部からローターを回転可能とする操作手段とを備え、索条の自由端部をローターにより巻取り緊締するように構成され、前記駆動室に連通する案内路を形成するシリンダーを前記ケーシングに連設すると共に、前記ラチェットホイールに近接する作動位置Ｐ１と離隔する遊休位置Ｐ２との間で進退移動自在なスライダーを前記案内路に内装し、前記スライダーは、作動位置Ｐ１に保持された状態で、ラチェットホイールのラチェット歯に進退自在に噛合し、該ラチェットホイールの正転は許すが逆転を許さないラチェット爪を設けており、前記シリンダーとスライダーの間に施錠手段を設け、該施錠手段は、前記スライダーを作動位置Ｐ１に前進した状態で該スライダーを後退不能に施錠すると共に、前記スライダーの解錠路に解錠キーを挿入したとき該スライダーを遊休位置Ｐ２に後退可能に解錠するように構成されている。
【００１５】
このように索条をケーシングの内部に巻取る構成とすることにより、商品包装体の見栄えを損なうことがない。しかも、ケーシングに連設したシリンダーにスライダーを作動位置Ｐ１と遊休位置Ｐ２の間で進退移動自在に挿入し、スライダーに設けたラチェット爪をケーシングに内装したラチェットホイールに係脱自在に噛合させることにより、ラチェット機構の作動と解除を選択することが可能となるように構成しているので、商品包装体に対して、索条の巻取りによる盗難防止装置の取付け作業と、索条の繰り出しによる盗難防止装置の取外し作業とが、スライダーの位置を変更するだけで、簡単容易に行うことができる。そして、シリンダーとスライダーの間に設けた施錠手段により、スライダーを作動位置Ｐ１で後退不能に施錠ロックし、解錠キーで施錠を解錠するだけで、スライダーを遊休位置Ｐ２に移動することが可能となるので、構造が簡単であると共に、施錠と解錠の作業を容易に行うことができる。
【００１６】
この際、前記スライダーは、プラスチックにより一体成形され、先端に可撓性ヒンジを介してラチェット爪を延設し、スライダーを作動位置Ｐ１に保持した状態でラチェットホイールを正転したとき、ラチェット爪が前記可撓性ヒンジの撓み弾性によりラチェット歯に対して進退自在となるように構成されている。
【００１７】
このようにスライダーをプラスチックで一体成形し、可撓性ヒンジにより進退自在とされたラチェット爪を形成することにより、部品点数が少なく、組立容易な構造とすることにより、安価に提供することが可能となり、しかも、スライダーの進退移動を繰り返しても故障のおそれがなく、耐用性に優れた装置を提供できるものとなる。
【発明の効果】
【００１８】
請求項１に記載の本発明によれば、緊締手段５により索条６６を緊締すると、防犯タグ２４を設けた緊締装置１が商品包装体６０に強固に取付けられ、窃盗者が不正に緊締装置１を商品包装体６０から取外すことを困難とする。そして、索条６６を緊締した状態で、上部固定具６４と下部固定具６５が商品包装体６０の上縁部６０ａと下縁部６０ｃを強固に抱持し、しかも、索条６６の上側タスキ部７９と下側タスキ部８０が商品包装体６０の両側縁部６０ｂ，６０ｂを強固に抱持する。従って、商品包装体６０は、上部固定具６４と下部固定具６５により、上縁部６０ａと下縁部６０ｃに位置するプレート６３と包装シート６２の重なり部分を相互離反不能に抱持され、窃盗者による商品の抜き取りを確実に防止する。しかも、商品包装体６０は、索条６６の上側タスキ部７９と下側タスキ部８０により、両側縁部６０ｂの２個所においてプレート６３と包装シート６２の重なり部分を相互離反不能に抱持され、窃盗者による商品の抜き取りを確実に防止する。
【００１９】
請求項２に記載の本発明によれば、前記緊締装置１は、商品包装体６０の裏面に沿う翼片２２を設けると共に、該翼片２２を貫通するに中継孔２３ａを開設し、前記索条６６の連結部８１を前記中継孔２３ａに挿通しているので、索条６６を緊締すると、緊締装置１を商品包装体６０の裏面に好適に密接させることができる。
【００２０】
請求項３に記載の本発明によれば、前記翼片２２を貫通するにガイド孔２３ｂを開設し、前記索条６６の自由端部８２を前記ガイド孔２３ｂに挿通しているので、ガイド孔２３ｂに案内された索条６６の自由端部８２を緊締手段５により好適に引き寄せ緊締することができる。
【００２１】
請求項４に記載の本発明によれば、緊締装置１は、緊締手段５により索条６６を緊締したとき商品包装体６０の裏面に当接される収納部２５を設け、該収納部２５に防犯タグ２４を収納しているので、窃盗者が防犯タグ２４を取外すことは困難であり、防犯効果を確実にする。
【００２２】
請求項５に記載の本発明によれば、索条６６をケーシング３の内部に巻取る構成であるから、商品包装体６０の見栄えを損なうことがない。しかも、ケーシング３に連設したシリンダー３２にスライダー３３を作動位置Ｐ１と遊休位置Ｐ２の間で進退移動自在に挿入し、スライダー３３に設けたラチェット爪３６をケーシング３に内装したラチェットホイール３０に係脱自在に噛合させることにより、ラチェット機構の作動と解除を選択することが可能となるように構成しているので、商品包装体６０に対して、索条６６の巻取りによる盗難防止装置の取付け作業と、索条６６の繰り出しによる盗難防止装置の取外し作業とが、スライダー３３の位置を変更するだけで、簡単容易に行うことができる。そして、シリンダー３２とスライダー３３の間に設けた施錠手段４２により、スライダー３３を作動位置Ｐ１で後退不能に施錠ロックし、解錠キー２で施錠を解錠するだけで、スライダー３３を遊休位置Ｐ２に移動することが可能となるので、構造が簡単であると共に、施錠と解錠の作業を容易に行うことができる。
【００２３】
請求項６に記載の本発明によれば、スライダー３３は、プラスチックにより一体成形され、先端に可撓性ヒンジ３８を介してラチェット爪３６を延設し、スライダー３３を作動位置Ｐ１に保持した状態でラチェットホイール３０を正転したとき、ラチェット爪３６が前記可撓性ヒンジ３８の撓み弾性によりラチェット歯３５に対して進退自在となるように構成されており、このようにスライダー３３をプラスチックで一体成形し、可撓性ヒンジ３８により進退自在とされたラチェット爪３６を形成することにより、部品点数が少なく、組立容易な構造とすることにより、安価に提供することが可能となり、しかも、スライダー３３の進退移動を繰り返しても故障のおそれがなく、耐用性に優れた装置の提供が可能になる。
【図面の簡単な説明】
【００２４】
【図１】ブリスターパックを構成する商品包装体の１例を示す斜視図である。
【図２】本発明の１実施形態に係る盗難防止装置を商品包装体に取付けた状態に関して、表面側から見た斜視図である。
【図３】本発明の１実施形態に係る盗難防止装置を商品包装体に取付けた状態に関して、一対の固定具と索条と緊締装置の配置状態を示す斜視図である。
【図４】本発明の１実施形態に係る盗難防止装置を商品包装体に取付けた状態に関して、表面側から見た立面図である。
【図５】本発明の１実施形態に係る盗難防止装置を商品包装体に取付けた状態に関して、裏面側から見た立面図である。
【図６】盗難防止装置を商品包装体から取外す方法を示す斜視図である。
【図７】本発明の盗難防止装置を構成する緊締装置の１実施形態を示す斜視図である。
【図８】緊締装置を分解状態で示す斜視図である。
【図９】緊締装置におけるケーシングの裏面を示す斜視図である。
【図１０】緊締装置の内部構造を示しており、（Ａ）は縦断面図、（Ｂ）は横断面図である。
【図１１】緊締装置におけるケーシングとラチェットホイールとスライダーの関係を部分的に断面で示す斜視図である。
【図１２】緊締装置におけるスライダーと解錠キーを示す斜視図である。
【図１３】緊締装置に関して、シリンダーに挿入されたスライダーを遊休位置から作動位置まで前進させたときの作用を示しており、（Ａ）は遊休位置にある状態を示す縦断面図、（Ｂ）は中途位置まで前進させた状態を示す縦断面図、（Ｃ）は作動位置まで前進させた状態を示す縦断面図である。
【図１４】緊締装置に関して、スライダーを解錠キーにより作動位置から遊休位置まで後退させるときの作用を示しており、（Ａ）は解錠キーを挿入する前の状態を示す縦断面図、（Ｂ）は解錠キーを挿入することにより施錠手段を解錠させた状態を示す縦断面図、（Ｃ）は解錠キーを引き抜き方向に移動することによりスライダーを遊休位置まで後退させた状態を示す縦断面図である。
【発明を実施するための形態】
【００２５】
以下図面に基づいて本発明の好ましい実施形態を詳述する。
【００２６】
図１に示すように、商品包装体６０は、ブリスターパックを構成しており、商品収納室を形成する凸状成形部６１を設けた包装シート６２を台紙等のプレート６３に配置し、包装シート６２とプレート６３の上縁部６２ａ、６３ａと両側縁部６２ｂ、６３ｂと下縁部６２ｃ、６３ｃを相互に重ね合わせると共に、適所をステープラー（ホッチキス）等の固着具（図示省略）で固着することにより、陳列展示可能な商品包装体として提供される。
【００２７】
前記プレート６３は、包装される商品に関する種々の情報等を印刷表示している。図示実施形態の場合、包装シート６２は、透明又は半透明等のプラスチックシートにより凸状成形部６１を成形されると共に、両側縁部６２ｂ、６２ｂの折返レール６２ｄ、６２ｄと、下縁部６２ｃの折返レール６２ｅを成形されている。従って、凸状成形部６１に商品（図示省略）を入れた状態で、包装シート６２の上縁部６２ａの近傍からプレート６３の両側縁部６３ｂ、６３ｂを折返レール６２ｂ、６２ｂの間に挿入し、該折返レール６２ｂ、６２ｂに沿ってプレート６３をスライドすることにより、プレート６３の下縁部６３ｃを折返レール６２ｅに嵌入し、その後、適所をステープラー等の固着具で固着すれば、包装シート６２とプレート６３が分離不能に結合される。この際、包装シート６２の上縁部６２ａの近傍と、プレート６３の上縁部６３ａの近傍には、それぞれ吊下孔６２ｆ、６３ｆが開設されており、相互に合致させられる。
【００２８】
従って、商品包装体６０は、図２に示すように、上縁部６０ａと両側縁部６０ｂと下縁部６０ｃにおいて包装シート６２とプレート６３を重ね合わせられており、上縁部６０ａの近傍に前記吊下孔６２ｆ、６３ｆを合致させた吊下孔６０ｆを備えている。
【００２９】
図２ないし図５に示すように、盗難防止装置は、前記商品包装体６０の上縁部６０ａを抱持する上部固定具６４と、下縁部６０ｃを抱持する下部固定具６５と、前記上部固定具６４と下部固定具６５の間に張設される索条６６と、商品包装体６０の裏面に位置して前記索条６６を弛緩自在に緊締する緊締装置１と、該緊締装置１に設けられた防犯タグ２４とから構成されている。
【００３０】
上部固定具６４は、プラスチックにより断面ほぼＵ形に形成され、商品包装体６０の上縁部６０ａを挿入する溝６７を形成すると共に、上縁部６０ａの表面と裏面に添設される表板６８と裏板７９を備え、表裏板６８、７９を貫通して前記吊下孔６０ｆに連通する開口孔７９を開設している。前記表板６８の両側縁には、商品包装体６０の上下方向に延びる通孔を有する表側ガイド７１、７１が設けられ、前記裏板６９の両側縁には、商品包装体６０の上下方向に延びる通孔を有する裏側ガイド７２、７２が設けられている。更に、上部固定具６４の上端部に延設した舌片７３には、表裏に向けて貫通するスリット７４が形成されている。
【００３１】
下部固定具６５は、プラスチックにより断面ほぼＵ形に形成され、商品包装体６０の下縁部６０ｃを挿入する溝７５を形成すると共に、下縁部６０ｃの表面と裏面に添設される表板７６と裏板７７を備え、裏板７７には、商品包装体６０の横幅方向に延びる通孔を有するガイド７８が設けられている。
【００３２】
索条６６は、コードや、紐や、ワイヤー等のフレキシブルな線状材から成り、緊締装置１から１本の索条６６をループ状に延出すると共に、該索条６６に上部固定具６４と下部固定具６５を挿通させた状態で、商品包装体６０に架け渡され、上側タスキ部７９、７９と、下側タスキ部８０、８０と、連結部８１、８１と、緊締装置１の内部に延びる自由端部８２、８２を構成している。
【００３３】
上側タスキ部７９、７９と連結部８１、８１は上部固定具６４を介して折返され連結されており、上側タスキ部７９、７９は、上部固定具６４のスリット７４から上側ガイド７１、７１に摺動自在に挿通され、該上部固定具６４から商品包装体６０の表面上で両側縁部６０ｂ、６０ｂに向けて延びると共に、該両側縁部６０ｂ、６０ｂで折返され、商品包装体６０の裏面上で緊締装置１に向けて延びる。
【００３４】
下側タスキ部８０、８０は、下部固定具６５のガイド７８に摺動自在に挿通され、該下部固定具６５から商品包装体６０の表面上で両側縁部６０ｂ、６０ｂに向けて延びると共に、該両側縁部６０ｂ、６０ｂで折返され、商品包装体６０の裏面上で緊締装置１に向けて延びる。
【００３５】
連結部８１、８１は、商品包装体６０の裏面上で上側タスキ部７９、７９と下側タスキ部８０、８０を連結する。
【００３６】
自由端部８２、８２は、上側タスキ部７９、７９又は下側タスキ部８０、８０の一方の両端に設けられ、商品包装体６０の裏面側で緊締装置１に導かれている。
【００３７】
緊締装置１は、前記自由端部８２、８２を引き寄せることにより索条を緊締する緊締手段５と、索条６６を緊締した状態で緊締手段８３をロックする施錠手段４２を設けており、施錠手段４２を解除キー２により解錠したとき前記緊締手段５をアンロックするように構成されている。
【００３８】
緊締装置１と下部固定具６５は、一体的に結合されており、図例の場合、緊締装置１のシリンダー３２と下部固定具６５の裏板７７をプラスチックにより一体成形するか、或いは、固着具を介して固着している。しかしながら、緊締装置１と下部固定具６５を相互に分離した構成としていても、索条６６を緊締することにより、緊締装置１を商品包装体６０の裏面に圧接できるものであれば良い。
【００３９】
図示実施形態の場合、後述するようなウインチにより緊締装置１を構成しているが、本発明の緊締装置１は、索条６６の自由端部８２、８２を引き寄せることにより緊締することが可能なものであれば良く、ウインチに限定されるものではない。
【００４０】
好ましい実施形態において、緊締装置１は、図３に示すように、商品包装体６０の裏面に沿う翼片２２、２２を設け、該翼片２２を貫通する中継孔２３ａとガイド孔２３ｂを設けている。中継孔２３ａ、２３ａは、索条６６の連結部８１、８１を挿通させ、ガイド孔２３ｂ、２３ｂは、索条６６の自由端部８２、８２を挿通させている。
【００４１】
このように商品包装体６０の上縁部６０ａと下縁部６０ｃに上部固定具６４と下部固定具６５を配置し、索条６６を掛け渡した状態で、緊締手段１により索条６６の自由端部８２、８２を引き寄せて緊締すると、防犯タグ２４を設けた緊締装置１が商品包装体６０の裏面に強固に取付けられ、窃盗者が不正に緊締装置１を商品包装体６０から取外すことを困難とする。緊締装置１は、索条６６の自由端部８２、８２を引き寄せ、翼片２２の中継孔２３ａに連結部８１、８１を挿通しているので、商品包装体６０の裏面に好適に密接される。
【００４２】
この際、図示実施形態の場合、緊締装置１は、後述するように商品包装体６０の裏面に収納部２５に防犯タグ２４を収納し、該収納部２５を蓋２６により施蓋している。従って、索条６６を緊締した状態で蓋２６が商品包装体１の裏面に圧接されているので、窃盗者が緊締装置１から防犯タグ２４を取外すことは不可能である。
【００４３】
このように盗難防止装置を取付けた状態で、商品を包装した商品包装体６０は、上部の吊下孔６０ｆを介して陳列ロッド等に吊下げた状態で展示販売される。尚、この際、吊下孔６０ｆが上部固定具６４の開口孔７０により補強されるという利点がある。
【００４４】
索条６６が緊締されている結果、商品包装体６０の上縁部６０ａと下縁部６０ｃは、上部固定具６４と下部固定具６５により強固に抱持されている。従って、上縁部６０ａと下縁部６０ｃの個所において、包装シート６２の上縁部６２ａとプレート６３の上縁部６３ａを引き離すことは不可能であり、窃盗者が商品を抜き取ることはできない。
【００４５】
また、商品包装体６０の両側縁部６０ｂ、６０ｂは、緊締された索条６６の上側タスキ部７９、７９と下側タスキ部８０、８０により強固に抱持されている。従って、両側縁部６０ｂ、６０ｂの個所において、包装シート６２の側縁部６２ｂとプレート６３の側縁部６３ｂを引き離すことは不可能であり、窃盗者が商品を抜き取ることはできない。
【００４６】
顧客が商品を購入する場合は、盗難防止装置を取付けたままの状態で商品包装体６０をレジカウンターに持参すれば良い。店員が解除キー２により緊締装置１のロックを解除すると、緊締装置１から索条６６の自由端部８２、８２を繰り出すことが可能になるので、図６に示すように、上部固定具６４と下部固定具６５を商品包装体６０から引き離すことにより、盗難防止装置を簡単に取外すことができる。従って、盗難防止装置を取外した状態で商品包装体６０を顧客に引き渡され、取外した盗難防止装置は、繰り返して別の商品包装体に取付けられる。
【００４７】
図７は、緊締装置１と、解錠キー２を示している。緊締装置１は、図７ないし図１１に示すように、それぞれプラスチックにより形成されたケーシング３と、該ケーシング３の駆動室４に設けられる回転自在なローター５ａと後述するようなローター５ａの正転Ｒ１は許すが逆転Ｒ２を許さないラチェット機構を含む緊締手段５により構成されている。前記索条６６は、自由端部８２、８２の延長端をローター５ａの周方向に巻取り自在に連結されている。
【００４８】
前記ラチェット機構は、後述するように、施錠手段を備えたスライダーにより作動状態と解除状態を選択的に設定可能とされており、従って、ラチェット機構を解除することによりローター５ａの逆転Ｒ２を可能としたときは、索条６６の自由端部８２、８２をローター５ａから繰り出し自在とする。
【００４９】
前記ケーシング３は、ほぼ矩形の支持板１０から筒壁１１を立設することにより上部開口状の駆動室４を形成し、該駆動室４の底壁から支持軸１２を立設しており、該支持軸１２にローター５ａを回転自在に軸支する。
【００５０】
前記ローター５ａは、筒状の駆動軸１３の下端に下輪１４を設けると共に上端に上輪１５を設け、前記駆動軸１３の周方向に等間隔をあけて連結片１６を備えており、前記駆動軸１３を前記支持軸１２に回転自在に外挿することにより駆動室４に収容され、前記上輪１５により前記駆動室４の上部開口を塞ぐように構成されている。尚、図例の場合、筒壁１１の上部開口縁にリング部材１７を嵌着することにより、上輪１５の周縁上部を覆うように構成している。
【００５１】
索条６６の自由端部８２、８２は、筒壁１１の周方向に間隔をあけて貫設された挿通孔１８を介して該自由端部８２、８２の延長端８２ａを駆動室４に導かれ、該延長端をローター５ａの連結片１６の孔に挿通すると共に、該挿通端に抜止め具１９をカシメ固着することにより抜止め状に連結固定される。
【００５２】
前記ローター５ａの上輪１５は、上面に径方向に延びる摘み片２０を設けることにより、ケーシング３の外部からローター５ａを回転自在とする操作手段２１を構成している。従って、ユーザが指先を摘み片２０に係止してローター５ａを正転Ｒ１させることにより、索条６６の自由端部８２、８２を駆動軸１３の周囲に巻取り、これにより、上述のように索条６６を商品包装体６０に掛け渡した状態で緊締することができる。
【００５３】
図９に示すように、前記ケーシング３は、底面に防犯タグ２４を格納している。図示実施形態の場合、支持板１０の裏面に皿状の収納部２５を形成し、該収納部２５を開閉自在に閉鎖する板状の蓋２６が薄肉ヒンジ２７を介して支持板１０に一体に形成されている。蓋２６は、薄肉ヒンジ２７により図示矢印のように回動自在とされ、収納部２５に防犯タグ２４を収納した状態で蓋２６を閉じると、蓋２６の自由端に設けた嵌着片２８がケーシング３の底面の被嵌着部２９に着脱自在に嵌着される。
【００５４】
ケーシング３の底面が開放された状態では、指先で前記嵌着片２８を被嵌着部２９から離脱させることにより蓋２６を開けることができるが、上述のように、索条６６を緊締した状態で、緊締装置１は、ケーシング３の底面を商品包装体６０に圧接するので、不正者が防犯タグ２４を抜き取ることは不可能とされる。
【００５５】
前記ローター５ａの下輪１４は、ラチェットホイール３０を構成し、駆動室４の底壁に近接した状態で配置される。ラチェットホイール３０は、ローター５ａの下輪１４と別に構成しても良いが、このように下輪１４と兼用することにより、該下輪１４と上輪１５の間に広い巻取り空間を形成することができる。
【００５６】
ラチェット機構を構成するため、図１０及び図１１に示すように、ケーシング３は、駆動室４に連通する案内路３１を形成するシリンダー３２を連設しており、前記ラチェットホイール３０に近接する作動位置Ｐ１と離隔する遊休位置Ｐ２との間で進退移動自在なスライダー３３を前記案内路３１に内装している。
【００５７】
前記スライダー３３は、作動位置Ｐ１に保持された状態で、駆動室４と案内路３１の連通部３４に臨むラチェットホイール３０のラチェット歯３５に噛合するラチェット爪３６を備えている。ラチェット爪３６は、スライダー３３の先端からほぼＬ形に延設された可撓性のアーム３７に設けられており、該アーム３７の可撓性ヒンジ３８の撓み弾性によりラチェット歯３５に対して進退自在に構成されている。従って、ラチェットホイール３０の正転Ｒ１に関しては、ラチェット爪３６を好適に後退させながら該正転Ｒ１を可能とするが、ラチェットホイール３０の逆転Ｒ２に関しては、ラチェット爪３６をラチェット歯３５に噛合させることにより該逆転Ｒ２を不可能とする。
【００５８】
これにより、スライダー３３を作動位置Ｐ１に保持した状態で、前記ラチェット爪３６がラチェット歯３５に進退自在に噛合し、ラチェットホイール３０の正転Ｒ１は許すが逆転Ｒ２を許さないワンウエイ機構としてのラチェット機構が構成される。
【００５９】
従って、スライダー３３を作動位置Ｐ１に保持させた状態で、ローター５ａを正転Ｒ１することにより、索条６６を巻取りながら商品包装体６０に緊締させ、緊締状態を保持することができる。そして、スライダー３３を遊休位置Ｐ２に移動させると、前記ラチェット機構が解除され、ローター５ａが自由に回転し、逆転Ｒ２を可能にするので、該ローター５ａに巻取られた索条６６の自由端部８２、８２を繰り出すことができる。例えば、商品包装体６０を緊締した索条６６を弛めて取外す際は、スライダー３３を作動位置Ｐ１から遊休位置Ｐ２に移動させ、上述のように上部固定具６４と下部固定具６５を引っ張るだけで、ローター５ａから索条６６の自由端部８２、８２が繰り出され、緊締状態を解くことができる。
【００６０】
上述のように、ラチェットホイール３０がローター５ａの下輪１４を兼用しているため、索条６６の自由端部８２、８２を駆動軸１３に巻取る際、該索条がラチェットホイール３０のラチェット歯３１に咬み込まれるおそれがあるので、図１１に示すように、前記連通部３４を除く駆動室４の円周上に位置して、ラチェットホイール３０の周面に近接すると共に該周面の円周に沿って延びる保護壁３９が形成されている。図例の場合、駆動室４の底壁に支持軸１２と同心円を描く環状リブ４０が突設され、これによりラチェットホイール３０の摩擦抵抗を軽減しており、該駆動室４の底壁の内周縁に沿って支持軸１２と同心円を描くように筒壁１１の内側を分厚く形成することにより前記保護壁３９を設けている。従って、ラチェット歯３５の先端と保護壁３９の内面との間にはほとんど隙間がなく、索条を咬み込むことはない。尚、保護壁３９の上方領域は、筒壁１１の肉厚を薄くすることにより、前記保護壁３９よりも大径とされた巻取り室が形成され、索条の巻取り容量を可及的大きくするように構成されている。
【００６１】
前記保護壁３９は、前記連通部３４に臨む部分において分断されている。このため、スライダー３３のアーム３７は、ラチェット爪３６の上部から先端方向に向けて延びる庇状の保護板４１を設けている。スライダー３３を作動位置Ｐ１に保持させることにより前記ラチェット機構を作動状態としたとき、前記保護板４１は、連通部３４に臨むラチェット歯３５とラチェット爪３６の上方を覆い、その間に索条が咬み込むことを防止する。
【００６２】
前記シリンダー３２とスライダー３３の間には施錠手段４２が設けられ、該施錠手段４２は、スライダー３３を作動位置Ｐ１に前進した状態で該スライダー３３を後退不能に施錠すると共に、スライダー３３の解錠路４３に解錠キー２を挿入したとき該スライダー３３を遊休位置Ｐ２に後退可能に解錠するように構成されている。
【００６３】
前記施錠手段４２は、シリンダー３２に固設された施錠爪４４と、スライダー３３に設けられて施錠方向Ｆと解錠方向Ｂに揺動自在とされた施錠アーム４５により構成されている。前記施錠アーム４５は、前記施錠爪４４に係止される係止孔４６を設け、前記施錠方向Ｆに弾発付勢されると共に、解錠方向Ｂから磁着可能な鉄板等から成る磁性片４７を設けている。これに対して、前記施錠爪４４は、スライダー３３を遊休位置Ｐ２から作動位置Ｐ１に向けて前進させたとき、施錠アーム４５の先端を前記解錠方向Ｂに押動させるガイド面４８と、前記施錠アーム４５の先端がガイド面４８を乗り越えたとき前記係止孔４６に係止する爪部４９と、該爪部４９からスライダー３３の前進方向に突出する掛け止め部５０を形成している。
【００６４】
図１０に示すように、シリンダー３２の側壁３２ａとスライダー３３の側壁３３ａの相互には、スライダー３３の進退移動範囲を規制する長孔５１と突起５２が設けられており、これにより、スライダー３３は、後退した遊休位置Ｐ２から前進した作動位置Ｐ１と、更に、該作動位置Ｐ１から前記掛け止め部５０の突出量に相当して前進したアンロック位置Ｐ３との間で進退移動可能とされる。
【００６５】
上記のようにケーシング３の底面に防犯タグ２４を格納し、該ケーシング３に内装したローター５ａに索条６６の自由端部８２、８２を巻取り自在に連結し、シリンダー３２にスライダー３３を挿入した状態で、緊締装置１が提供される。これに対して、解錠キー２は、図１２に示すように、ホルダ５３から突設された永久磁石を備えたロッド部５４を設けており、前記ロッド部５４は、スライダー３３の鍵孔部５５から解錠路４３に挿入されるように構成されている。この際、解錠キー２のロッド部５４の断面形状と鍵孔部５５の形状は、単純な円形や矩形ではなく、異形とするのが好ましく、図例の場合は三角形としたものを示しているが、五角形や星形のような複雑な形状とすることができる。後述するように、ロッド部５４を解錠路４３に挿入したとき、該ロッド部５４の先端を当接させる受部５６がスライダー３３の解錠路４３の奥端に設けられている。
【００６６】
防犯タグ２４を格納した緊締装置１を商品包装体６０に取付けるときは、予め、スライダー３３を遊休位置Ｐ２に位置させ、ラチェット機構を解除した状態で、ローター５ａを逆転Ｒ２させることにより、索条６６を繰り出して長く延ばし、その後、スライダー３３を作動位置Ｐ１まで前進させることにより、施錠手段４２を施錠し、ラチェット機構を作動状態とする。そして、この状態から、上述のようにケーシング３の底面を商品包装体６０の裏面に添設すると共に、上部固定具６４と下部固定具６５を商品包装体６０の上縁部６０ａと下縁部６０ｃに取付け、索条６６の上側タスキ部７９、７９と下側タスキ部８０、８０を商品包装体６０に掛け渡した状態で、操作手段２１を介してローター５ａを正転Ｒ１することにより索条６６を緊締させれば良い。
【００６７】
反対に、盗難防止装置を商品包装体６０から取外すときは、スライダー３３の鍵孔部５５から解錠路４３に対して解錠キー２のロッド部５４を挿入することにより、後述のように施錠手段４２を解錠し、解錠キー２に磁着したスライダー３３を遊休位置Ｐ２まで移動させる。これにより、ラチェット機構が解除され、ローター５ａが自由に逆転Ｒ２するので、ケーシング３から自由端部８２、８２を繰り出すことにより索条６６を弛め、これにより盗難防止装置を商品包装体６０から取外し可能とする。
【００６８】
（スライダーの施錠方法）
上述のように、本発明の盗難防止装置に設けた緊締装置１は、ラチェット機構を作動させることにより、不正者が索条６６を弛めることができないように構成している。そこで、ラチェット機構を作動させるためのスライダー３３の作用に関して、スライダー３３を遊休位置Ｐ２から前進させ、作動位置Ｐ１に保持させるまでの作用を図１３に基づいて説明する。
【００６９】
図１３（Ａ）は、スライダー３３が遊休位置Ｐ２で停止した状態を示しており、突起５２が長孔５１の後端に当接し、スライダー３３をシリンダー３２から引き抜き不能な状態で保持している。スライダー３３のラチェット爪３６はラチェットホイール３０のラチェット歯３５から遠ざかり、従って、ラチェット機構は解除されている。
【００７０】
図１３（Ｂ）に示すように、指先等でスライダー３３の尾端を押すことにより遊休位置Ｐ２から前進させると、施錠アーム４５の先端が施錠爪４４のガイド面４８に沿って摺動することにより押動され、該施錠アーム４５の先端が施錠爪４４を乗り越えるまでスライダー３３を前進させる。
【００７１】
スライダー３３は、前進により作動位置Ｐ１に到達するとラチェット爪３６をラチェットホイール３０のラチェット歯３５に噛合するが、可撓性ヒンジ３８を撓ませることにより、更に作動位置Ｐ１を超えたアンロック位置Ｐ３まで前進させられる。スライダー３３がアンロック位置Ｐ３まで前進すると、突起５２が長孔５１の前端に当接することにより前進を阻止する。このとき、施錠アーム４５の先端は掛け止め部５０を乗り越え、該掛け止め部５０を含む施錠爪４４の全体を係止孔４６に対面させるので、弾発された施錠アーム４５が上述の施錠方向Ｆに向けて揺動し、係止孔４６に施錠爪４４を挿入させる。
【００７２】
そこで、指先からスライダー３３を放すと、撓み変形された可撓性ヒンジ３８の復元力により、図１３（Ｃ）に示すように、スライダー３３は、アンロック位置Ｐ３から作動位置Ｐ１まで後退し、係止孔４６の前縁を施錠爪４４に係止することにより、抜止め状に施錠された状態を保持する。この状態で、施錠アーム４５の先端が掛け止め部５０に係止されているので、不正者が解錠路４３に永久磁石を挿入しても、施錠アーム４５が解錠方向Ｂに揺動することはない。同様に、解錠路４３に針金等を挿入することにより施錠アーム４５を揺動させようとしても、施錠アーム４５が解錠方向Ｂに揺動することはない。
【００７３】
（スライダーの解錠方法）
緊締装置１は、商品を購入した正当な顧客がレジカウンターで支払いを行う際、店員が解錠キー２を用いてラチェット機構を解除することにより、索条６６を弛め、商品包装体６０から取外し可能とするように構成している。そこで、ラチェット機構を解除するためのスライダー３３の作用に関して、スライダー３３を作動位置Ｐ１から遊休位置Ｐ２に移動させるまでの作用を図１４に基づいて説明する。
【００７４】
図１４（Ａ）は、スライダー３３が作動位置Ｐ１に保持された状態を示しており、スライダー３３のラチェット爪３６がラチェットホイール３０のラチェット歯３５に噛合している。
【００７５】
この状態から、図１４（Ｂ）に示すように、解錠キー２のロッド部５４を解錠路４３に挿入し、該ロッド部５４の先端を受部５６に当接すると、該ロッド部５４の永久磁石が施錠アーム４５の磁性片４７を磁着するので、施錠アーム４５は解錠方向Ｂに揺動しようとする。しかしながら、この状態では、掛け止め部５０により施錠アーム４４の揺動が阻止されている。そこで、図１４（Ｂ）に示すように、ロッド部５４を強く押し込むことにより、可撓性ヒンジ３８の撓みを介してスライダー３３をアンロック位置Ｐ３まで前進させると、掛け止め部５０の係止が解かれるので、施錠アーム４５が解錠方向Ｂに揺動し、施錠手段４２の施錠を解錠し、スライダー３３を後退移動可能とする。
【００７６】
そこで、解錠キー２を後退方向に移動させると、前記磁性片４７がロッド部５４の永久磁石に磁着されているので、スライダー３３がロッド部５４に追従して移動し、図１４（Ｃ）に示すように、スライダー３３を遊休位置Ｐ２まで移動させる。この状態で、突起５２が長孔５１の後端に当接し、スライダー３３の後退移動を阻止するストッパーとして機能するので、ロッド部５４を解錠路４３から引き抜くことができる。このように、解錠キー２を引き抜いた後も、スライダー３３は、シリンダー３２の案内路３１の内部に残置され、該シリンダー３２から分離することはない。従って、再び盗難防止装置を別の商品に取付けて使用するために、ラチェット機構を作動状態にする際は、図１３に示したように、スライダー３３をシリンダー３２に押し込むだけで足りる。
【符号の説明】
【００７７】
１  緊締装置
２  解錠キー
３  ケーシング
４  駆動室
５  緊締手段
５ａ  ローター
２２  翼片
２３ａ  中継孔
２３ｂ  ガイド孔
２４  防犯タグ
２５  収納部
２６  蓋
３０  ラチェットホイール
４２  施錠手段
４３  解錠路
４４  施錠爪
４５  施錠アーム
４６  係止孔
４７  磁性片
６０  商品包装体
６０ａ  上縁部
６０ｂ  側縁部
６０ｃ  下縁部
６０ｆ  吊下孔
６１  凸状成形部
６２  包装シート
６３  プレート
６４  上部固定具
６５  下部固定具
６６  索条
６７  上部固定具の溝
６８  表板
６９  裏板
７０  開口孔
７１  表側ガイド
７２  裏側ガイド
７３  舌片
７４  スリット
７５  下部固定具の溝
７６  表板
７７  裏板
７８  ガイド
７９  上側タスキ部
８０  下側タスキ部
８１  連結部
８２  自由端部
【図１】
2012038140.tif 000003
【図２】
2012038140.tif 000004
【図３】
2012038140.tif 000005
【図４】
2012038140.tif 000006
【図５】
2012038140.tif 000007
【図６】
2012038140.tif 000008
【図７】
2012038140.tif 000009
【図８】
2012038140.tif 000010
【図９】
2012038140.tif 000011
【図１０】
2012038140.tif 000012
【図１１】
2012038140.tif 000013
【図１２】
2012038140.tif 000014
【図１３】
2012038140.tif 000015
【図１４】
2012038140.tif 000016